(57)【要約】【課題】ドレン中に含まれるイオン成分を除去した後で、ドレンを大気中に放出できる給湯器を提供する。【解決手段】給湯器１では、副熱交換器１０で発生したドレンをドレンタンク１７に溜め、タンク内に溜まったドレンを電解装置５０で電気分解することができる。これにより、ドレンに含まれるイオン成分を除去することができる。そして、イオン成分が除去されたドレンを、ドレンポンプ２０で吸い上げ、ドレン排管１８，２１を介して、ノズル２２から霧状に噴出させることで、ドレン中に含まれるイオン成分（塩）が大気中に放出されるのを抑制できる。また、ドレンタンク１７に配置された一対のカーボン電極５１，５２から相対的に離れた位置に、ドレン排管１８の上流側一端部を配置することで、イオン濃度が相対的に低いドレンを優先的に吸い上げることができる。【選択図】図１
2008190768.tif 000002
【特許請求の範囲】
【請求項１】
器具内に設けられた燃焼室内で燃料ガスを燃焼するバーナと、当該バーナに燃焼用空気を供給する燃焼用空気供給ファンと、前記バーナの燃焼ガスから顕熱を回収して伝熱管内の通水を加熱する主熱交換器と、当該主熱交換器を通過した燃焼ガスから、前記主熱交換器で回収しきれなかった顕熱に加えて潜熱を回収して伝熱管内の通水を加熱する副熱交換器と、当該副熱交換器での潜熱回収によって発生したドレンを中和する中和手段と、当該中和手段によって中和処理されたドレンを貯留するタンクと、当該タンクに溜まったドレンを気化又は霧化して排出するドレン排出手段とを備えた給湯器であって、
前記タンク内に貯留されたドレン中に溶解するイオンを吸着して除去するイオン除去手段を備えたことを特徴とする給湯器。
【請求項２】
前記イオン除去手段は、
前記タンク内に設けられ、陽極及び陰極からなる一対のイオン電極と、
当該一対のイオン電極間に電圧を印加する印加手段と
を備えたことを特徴とする請求項１に記載の給湯器。
【請求項３】
前記中和手段によって中和されたドレンを前記タンク内に供給する供給手段を備え、
当該供給手段は、前記一対のイオン電極のうち、前記陰極の壁面に沿ってドレンを流下させることを特徴とする請求項２に記載の給湯器。
【請求項４】
前記ドレン排出手段は、
ドレンを霧状に噴出するノズルと、
当該ノズルと前記タンクとの間に連結された配管と、
当該配管に設けられ、前記タンク内のドレンを前記ノズルに供給するポンプと
から構成され、
前記配管の前記タンク側の一端部は、少なくとも前記陰極から離間して配置されていることを特徴とする請求項２又は３に記載の給湯器。
【請求項５】
前記イオン除去手段は、
ドレン中のイオンを吸着して除去するイオン交換樹脂と、
当該イオン交換樹脂を保持する保持手段と
を備えたことを特徴とする請求項１に記載の給湯器。
【請求項６】
前記ドレン排出手段は、
前記イオン除去手段によって処理されたドレンを超音波振動で霧化する超音波振動子であることを特徴とする請求項１、２、３又は５に記載の給湯器。
【発明の詳細な説明】
【技術分野】
【０００１】
本発明は、給湯器に関し、詳しくは、バーナの燃焼排気から顕熱と潜熱とを回収して通水を加熱する熱交換器を備えた給湯器に関する。
【背景技術】
【０００２】
従来より、燃焼排気流路中の上流側に主に顕熱回収を目的とした主熱交換器を、下流側に主に潜熱回収を目的とした副熱交換器を設けて高い熱交換率が得られる潜熱回収型の給湯器が知られている（例えば、特許文献１参照）。このタイプの給湯器は、例えば、フィンチューブ式の副熱交換器と、フィンチューブ式の主熱交換器とを上下２段に離間して備え、その間のスペースに、副熱交換器にて潜熱回収により発生したドレン（潜熱回収後の凝縮水）を受けるドレン受皿を備える構成となっている。
【０００３】
このような潜熱回収型の給湯器では、まず、バーナからの高温の燃焼排気が、給気ファンにより主熱交換器の各主フィン間を貫流し良好に熱交換される。さらに温度の下がった燃焼排気が、副熱交換器の各副フィン間を流れ、副熱交換器においても良好に熱交換され、排気フードを介して器具外へ排出される。一方、上方に配置された副熱交換器にて潜熱回収により発生したドレンはドレン受皿で集水され、ドレン排管を通って中和器で処理された後、下水道等の排水設備に排出される。
【０００４】
しかし、この特許文献１に記載の給湯器では、ドレン受皿に集水されたドレンを排出するための排水設備が必要であるため、当該排水設備の配管等の施工工事を行わなければならない。そのため、手間、コストがかかるという問題点がある。
【０００５】
そこで、本件出願人は、ドレンをノズルから霧状に噴出させて、器具外に排出できる給湯器（特願２００５−２６１５５５）を提案した。この給湯器３００は、図２に示すように、器具本体１２０内に設けられた燃焼室１３０と、該燃焼室１３０内に設けられたバーナ１８０と、該バーナ１８０に給気する燃焼用空気供給ファン１５０と、主熱交換器１９０及び副熱交換器２００とを主体に構成されている。そして、副熱交換器２００で発生した酸性のドレンは、ドレン受皿１１１に受けられ、中和剤を保持する中和器２５０で中和され、ドレンタンク１１７に貯留される。さらに、そのドレンタンク１１７に溜まったドレンは、ドレンポンプ２２０によって吸い上げられ、ドレン排管１１８，１１９を介し、排気フード１２８の内側に配置されたノズル１２２から霧状に噴出され、器具本体１２０外に排出される。これにより、ドレンの排水設備の配管等の施工工事を不要とすることができる。
【特許文献１】特開２００２−２６７２７３号公報
【発明の開示】
【発明が解決しようとする課題】
【０００６】
しかしながら、図２に示す給湯器３００において、ドレンタンク１１７内に溜まったドレンは中和器２５０で中和処理されているため、中和後に生じた塩がドレン中に溶解してイオン成分（例えば、硝酸イオン、カルシウムイオン等）が遊離した状態となっている。そのため、ノズル１２２からドレン中のイオン成分がそのまま大気中に放出されることが想定される。さらに、長期間使用すると、ノズル１２２が詰まる懸念もある。
【０００７】
本発明は、上記課題を解決するためになされたものであり、ドレン中に含まれるイオン成分を除去した後で、ドレンを大気中に放出できる給湯器を提供することを目的とする。
【課題を解決するための手段】
【０００８】
上記目的を達成するために、請求項１に係る発明の給湯器は、器具内に設けられた燃焼室内で燃料ガスを燃焼するバーナと、当該バーナに燃焼用空気を供給する燃焼用空気供給ファンと、前記バーナの燃焼ガスから顕熱を回収して伝熱管内の通水を加熱する主熱交換器と、当該主熱交換器を通過した燃焼ガスから、前記主熱交換器で回収しきれなかった顕熱に加えて潜熱を回収して伝熱管内の通水を加熱する副熱交換器と、当該副熱交換器での潜熱回収によって発生したドレンを中和する中和手段と、当該中和手段によって中和処理されたドレンを貯留するタンクと、当該タンクに溜まったドレンを気化又は霧化して排出するドレン排出手段とを備えた給湯器であって、前記タンク内に貯留されたドレン中に溶解するイオンを吸着して除去するイオン除去手段を備えている。
【０００９】
また、請求項２に係る発明の給湯器は、請求項１に記載の発明の構成に加え、前記イオン除去手段は、前記タンク内に設けられ、陽極及び陰極からなる一対のイオン電極と、当該一対のイオン電極間に電圧を印加する印加手段とを備えている。
【００１０】
また、請求項３に係る発明の給湯器は、請求項２に記載の発明の構成に加え、前記中和手段によって中和されたドレンを前記タンク内に供給する供給手段を備え、当該供給手段は、前記一対のイオン電極のうち、前記陰極の壁面に沿ってドレンを流下させることを特徴とする。
【００１１】
また、請求項４に係る発明の給湯器は、請求項２又は３に記載の発明の構成に加え、前記ドレン排出手段は、ドレンを霧状に噴出するノズルと、当該ノズルと前記タンクとの間に連結された配管と、当該配管に設けられ、前記タンク内のドレンを前記ノズルに供給するポンプとから構成され、前記配管の前記タンク側の一端部は、少なくとも前記陰極から離間して配置されている。
【００１２】
また、請求項５に係る発明の給湯器は、請求項１に記載の発明の構成に加え、前記イオン除去手段は、ドレン中のイオンを吸着して除去するイオン交換樹脂と、当該イオン交換樹脂を保持する保持手段とを備えている。
【００１３】
また、請求項６に係る発明の給湯器は、請求項１、２、３又は５に記載の発明の構成に加え、前記ドレン排出手段は、前記イオン除去手段によって処理されたドレンを超音波振動で霧化する超音波振動子であることを特徴とする。
【発明の効果】
【００１４】
請求項１に係る発明の給湯器では、イオン除去手段によって、タンク内に溜まったドレン中に溶解するイオンを吸着して除去することができる。これにより、イオン成分が除去された、或いはイオン濃度の低いドレンをドレン排出手段によって気化又は霧状にして大気中に放出できるので、環境衛生的に好ましい。  
【００１５】
また、請求項２に係る発明の給湯器では、請求項１に記載の発明の効果に加え、印加手段によって一対のイオン電極間に電圧が印加されると、ドレン中に溶解する陽イオンが陰極に、陰イオンが陽極に誘導されて引きつけられる。これにより、タンク内に貯留されたドレンのイオン濃度が低くなるので、ドレン排出手段によって、イオン濃度の低くなったドレンを気化又は霧化して大気中に排出することができる。
【００１６】
また、請求項３に係る発明の給湯器では、請求項２に記載の発明の効果に加え、陰極の壁面に発生する析出物を、供給手段によって供給されるドレンによって洗い落とすことができる。
【００１７】
また、請求項４に係る発明の給湯器では、請求項２又は３に記載の発明の効果に加え、タンク内に貯留され、イオン濃度が低くなったドレンをポンプで吸い上げて、ノズルから霧状に噴出させることができる。また、陰極には析出物が発生するが、配管のタンク側の一端部は、少なくとも陰極から離間する位置に配置されるため、配管内に析出物が流れることがない。そのため、配管内やノズルが析出物で詰まるのを防ぐことができる。
【００１８】
また、請求項５に係る発明の給湯器では、請求項１に記載の発明の効果に加え、タンク内のドレン中に溶解するイオンは、保持手段によって保持されたイオン交換樹脂に吸着されて除去されるので、イオン濃度の低くなったドレンをドレン排出手段によって大気中に排出することができる。
【００１９】
また、請求項６に係る発明の給湯器では、請求項１、２、３又は５に記載の発明の効果に加え、イオン除去手段によって処理されたドレンを超音波振動で霧化することができるので、イオン濃度の低くなったドレンを霧状にして大気中に排出することができる。
【発明を実施するための最良の形態】
【００２０】
以下、本発明の一実施の形態である給湯器について、図面に基づいて説明する。図１は、本実施形態である給湯器１の側面視断面図である。
【００２１】
なお、本実施形態である給湯器１は、副熱交換器１０で発生したドレンをドレンタンク１７に溜め、タンク内に溜まったドレンを電解装置５０で電気分解することにより、ドレンに含まれるイオン成分を除去してから、霧状にして大気中に排出できる点が本発明の特徴である。
【００２２】
はじめに、給湯器１について概略的に説明する。図１に示すように、給湯器１は、器具本体２を備え、該器具本体２内には燃焼室３が設けられている。そして、その燃焼室３の下方には、モータ４と連結した燃焼用空気供給ファン５が取り付けられており、器具本体２下部に開口される給気口６を通して、外気を燃焼用空気として取り込むようになっている。一方、器具本体２の正面上部には、熱交換後の燃焼排気を排出するための排気口７が開口して設けられている。なお、これら給気口６及び排気口７の位置は図１中に示した位置に限定されるものではない。
【００２３】
次に、燃焼室３の内部構造について説明する。燃焼室３には下から順に、燃料ガスと燃焼用空気供給ファン５からの一次空気との混合ガスを燃焼するバーナ８と、該バーナ８からの燃焼排気中の主に顕熱を回収する主伝熱管９ａと主フィン９ｂとを備えたフィンチューブ式の主熱交換器９と、主に潜熱を回収しドレンを発生する副伝熱管１０ａと副フィン１０ｂとを備えたフィンチューブ式の副熱交換器１０とが設けられている。なお、主熱交換器９は、熱伝導性に優れた銅製であるのが好ましく、副熱交換器１０は、ドレンに対する耐食性材料が好ましい。
【００２４】
さらに、燃焼室３の上部には、主熱交換器９、副熱交換器１０で熱交換後の燃焼排気を燃焼室３外へ排出する排気孔２７が開口されている。そして、その排気孔２７と前記排気口７との間に筒状の排気フード２８が略水平に渡設され、当該排気フード２８の下流側一端部の排気出口２９は、排気口７から器具本体２外に向かって突出している。そして、このような排気フード２８によって、熱交換後（潜熱回収後）の燃焼排気が器具本体２外へ排出される。
【００２５】
一方、副熱交換器１０の下方には、発生したドレンを受けるためのステンレス製の平板状のドレン受皿１１が傾斜して設けられている。そして、そのドレン受皿１１と燃焼室３の壁面との接触部分には、ドレンを排出するためのドレン抜孔１２が開口され、該ドレン抜孔１２にはドレン排管１３が接続されている。さらに、このドレン排管１３の途中には、Ｓ字トラップ１４が設けられており、ドレンがこのＳ字トラップ１４に溜まることによって、燃焼排気がドレン排管１３を通って器具内に再び戻るのを防いでいる。
【００２６】
そして、ドレン排管１３の下流側一端部には、酸性のドレンを中和するための中和器１５が接続されている。この中和器１５は、燃焼ガスに含まれるＮＯｘ等の酸性成分が溶解して、酸性度の高くなったドレンを中和するものである。そして、この中和器１５には、酸性のドレンを中和するための中和剤（例えば、炭酸カルシウム）が保持されている。よって、ドレン中のＮＯｘ等が中和剤である炭酸カルシウムと反応して中和され、塩（硝酸カルシウム）を形成する。なお、この塩は、ドレン中に溶解されるので、ドレン中では、硝酸イオンと、カルシウムイオンとに分離して遊離した状態で存在している。そして、これらイオン成分は、後述する電解装置５０によってドレン中から除去されるようになっている。
【００２７】
さらに、この中和器１５の下流側出口には、中和処理後のドレンが流れるドレン排管１６が接続されている。そして、そのドレン排管１６の下流側一端部には、中和されたドレンを貯留するためのドレンタンク１７が配置されている。さらに、ドレンタンク１７内には、後述する一対のカーボン電極５１，５２が互いに所要間隔隔てて配置され、その一対のカーボン電極５１，５２の互いに離間する間の略中央には、ドレン排管１８の上流側一端部が配置されている。さらに、そのドレン排管１８は、器具本体２の上部に向かって延設され、その下流側一端部には、ドレンポンプ２０が接続されている。そして、このドレンポンプ２０は、給湯器１の動作を制御するコントローラ４０に電気的に接続されている。なお、図１に示すドレンタンク１７が、「タンク」に相当し、中和器１５が、「中和手段」に相当し、ドレンポンプ２０が、「ポンプ」に相当する。
【００２８】
また、このドレンポンプ２０の下流側には、ドレン排管２１が接続されている。そして、このドレン排管２１は器具本体２の上部に向かって延設され、その下流側一端部は、排気フード２８内に貫通され、かつ排気出口２９に向かって略直角に折り曲げられている。そして、このドレン排管２１の下流側一端部には、ドレンを霧状に噴出するノズル２２が設けられている。なお、図１に示すドレン排管１８，２１が、「配管」に相当する。
【００２９】
また、ドレンタンク１７には、本発明の特徴である電解装置５０が設けられている。この電解装置５０は、ドレンタンク１７内に設けられ、互いに離間して各々配置された一対のカーボン電極５１，５２と、該一対のカーボン電極５１，５２に電気的に接続され、この一対のカーボン電極５１，５２間に電圧を印加するための電圧発生回路５５とから構成されている。そして、この電圧発生回路５５は、コントローラ４０に電気的に接続されている。よって、電解装置５０では、コントローラ４０からの制御信号に基づき、電圧発生回路５５によって一対のカーボン電極５１，５２間に所定の電圧が印加されるようになっている。そして、この一対のカーボン電極５１，５２の間に、ドレン排管１８の上流側一端部が配置されている。即ち、この一対のカーボン電極５１，５２から相対的に離れた位置にドレン排管１８の上流側一端部が配置されている。なお、この電解装置５０によるイオン除去処理については後述する。そして、図１に示す一対のカーボン電極５１，５２が、「一対のイオン電極」に相当し、電圧発生回路５５が、「印加手段」に相当し、ドレン排管１８の上流側一端部が、「前記配管の前記タンク側の一端部」に相当する。
【００３０】
一方、器具本体２の底部には、水道水が供給される給水管３０の入口が設けられ、その給水管３０の下流側一端部は副伝熱管１０ａの入水口に接続されている。さらに、その副伝熱管１０ａの出水口は主伝熱管９ａの入水口に接続されている。そして、その主伝熱管９ａの出水口は巻回管（図示外）に接続されている。なお、この巻回管は燃焼室３の外周を巻回するように配置され、その下流側一端部には出湯管３１が接続されている。そして、その出湯管３１の下流側一端部の出口は、器具本体２の底部に配置されている。また、給水管３０には水流センサや水ガバナを備える水側制御ユニット３４が設けられ、バーナ８にガスを供給するガス管３２には主電磁弁３６及びガス比例弁３５が各々設けられている。さらに、水側制御ユニット３４内の水流センサや、主電磁弁３６及びガス比例弁３５及びモータ４等は、器具本体２の下部に配置され、この給湯器１の燃焼動作を制御するコントローラ４０に電気的に接続されている。
【００３１】
次に、上記構成からなる給湯器１の動作について説明する。図１に示すように、まず、給湯栓（図示外）を開くことにより、給水管３０に水道水が流れ、水側制御ユニット３４内の水位センサからの検知信号によりコントローラ４０が給湯制御動作を開始する。そして、燃焼用空気供給ファン５により所定のプリパージが行われ、その後、バーナ８の主電磁弁３６及びガス比例弁３５が開かれ、バーナ８にガスが供給されると共に、イグナイタ（図示外）によりバーナ８の点火動作が行われる。
【００３２】
次いで、点火動作が終了すると比例制御が開始される。この比例制御では、出湯温サーミスタ（図示外）で検出される湯温と設定温度との差に応じて、ガス比例弁３５を制御することにより、ガス量を連続的に変化させて熱交換器の出口温度を一定に保つことができる。また、ガス比例弁３５によるガス量の変化に応じて、燃焼用空気供給ファン５の回転数も変えられ、常にガス量と給気量とが所定の関係に保たれるように制御される。
【００３３】
また、この給湯器１では、主熱交換器９が排気流路の上流に設けられ、副熱交換器１０が排気流路の下流に設けられているため、バーナ８からの高温の燃焼排気が、燃焼用空気供給ファン５により主熱交換器９の各主フィン９ｂ間を貫流し良好に熱交換される。さらに、温度の下がった燃焼排気は、副熱交換器１０の各副フィン１０ｂ間を流れ、副熱交換器１０においても良好に熱交換して排気フード２８を通って器具外へ排出される。
【００３４】
一方、主熱交換器９から排出される燃焼排気は、通水部である主伝熱管９ａのような局所的な低温部での部分的なドレン発生を防ぐために、約２００℃という高温で排出されている。一方、副熱交換器１０では、主熱交換器９で回収しきれなかった顕熱を回収し、燃焼排気温が露点以下になるとドレンが発生するため、潜熱も回収することができる。ここで発生したドレンは、ドレン受皿１１で集められドレン排管１３を通り、中和器１５で中和処理される。そして、中和器１５によって中和処理されたドレンは、ドレン排管１６を介して、ドレンタンク１７に貯留され、電解装置５０によるイオン除去処理がなされる。
【００３５】
次に、電解装置５０によるドレンのイオン除去処理について説明する。まず、コントローラ４０から出力された制御信号によって、電圧発生回路５５から一対のカーボン電極５１，５２間に所定の電圧か印加される。すると、電圧発生回路５５の負極に接続されたカーボン電極５１が陰極（カソード）となり、陽極に接続されたカーボン電極５２が陽極（アノード）となる。そして、反応槽としてのドレンタンク１７内でドレンの電気分解が行われる。この場合、ドレン中に溶解する陰イオン（例えば、硝酸イオン）が、陽極であるカーボン電極５２側に移動して引きつけられる。一方、ドレン中に溶解する陽イオン（例えば、カルシウムイオン）は、陰極であるカーボン電極５１側に移動して引きつけられる。この結果、ドレンタンク１７内のドレン中に含まれるイオン成分が除去され、ドレンのイオン濃度が徐々に低下される。なお、カーボン電極５１の電極表面にはカルシウムが析出するが、例えば、ドレン排管１６の下流側一端部を陰極となるカーボン電極５１の壁面に寄せ、ドレン排管１６から流れるドレンによって、電極表面に析出するカルシウムを洗い落とすことも可能である。
【００３６】
次に、給湯器１におけるドレンの排出動作について説明する。まず、コントローラ４０から出力された制御信号によってドレンポンプ２０が駆動する。ここで、上記したように、ドレン排管１８の下流側一端部は、一対のカーボン電極５１，５２から離れた場所に配置されている。よって、その場所に存在するドレンのイオン濃度は、カーボン電極５１，５２付近よりも相対的に低い状態にある。よって、イオン成分が最も除去されたドレンが、ドレン排管１８、２１を介して優先的に吸い上げられ、ノズル２２に勢いよく供給される。そして、ノズル２２からはイオン濃度の低いドレンが霧状に勢いよく噴出され、大気中に放出される。このような一連の動作によって、ドレン中に溶解されたイオン成分（塩）がノズル２２から大気中に放出されるのを防ぐことができる。
【００３７】
以上説明したように、本実施形態の給湯器１では、副熱交換器１０で発生したドレンをドレンタンク１７に溜め、タンク内に溜まったドレンを電解装置５０で電気分解することができる。これにより、ドレンに含まれるイオン成分を除去することができる。そして、イオン成分が除去されたドレンを、ドレンポンプ２０で吸い上げ、ドレン排管１８，２１を介して、ノズル２２から霧状に噴出させることで、ドレン中に含まれるイオン成分（塩）が大気中に放出されるのを抑制できる。また、ドレン排管１８の上流側一端部を、ドレンタンク１７に配置された一対のカーボン電極５１，５２から離れた位置に配置することで、イオン濃度が相対的に低いドレンを優先的に吸い上げ、大気中に放出することができるので、環境衛生的に好ましい。さらに、陰極であるカーボン電極５１付近は、カルシウムイオン濃度が高くなっているが、ドレン排管１８の上流側一端部は、陰極であるカーボン電極５１から離間しているので、ドレン排管１８，２１及びノズル２２内に、高濃度のカルシウムイオン等を含むドレンが流れることがない。これにより、ドレン排管１８，２１内でカルシウム等が析出して流路が詰まるのを防止できる。さらに、ノズル２２が、カルシウム等の析出物で詰まるのを防止できる。
【００３８】
なお、本発明は、上記実施形態に限定されることなく、様々な変形が可能であることは言うまでもない。上記実施形態では、ドレンタンク１７内に溜まったドレンを、ドレンポンプ２０で吸い上げ、ノズル２２に供給することで、該ノズル２２からドレンを霧状に噴出させて、大気中に放出したが、例えば、ドレンタンク１７内に超音波振動子（図示外）を配設し、ドレンに超音波振動を与えることで霧化させて大気中に放出させてもよい。
【００３９】
さらに、上記実施形態では、ドレン中のイオンを電解装置５０による電気分解によって除去したが、この代わりに、例えば、イオン交換樹脂を内側に充填したイオン交換カラムを用いてもよい。これにより、ドレン中に含まれるイオン成分が、イオン交換カラム内に充填されたイオン交換樹脂（陽イオン交換樹脂、陰イオン交換樹脂）に吸着され、イオン成分が除去されたドレンをドレンタンク１７内に溜めることができる。なお、このカラムが「保持手段」に相当する。
【００４０】
また、ドレン排管１８の上流側一端部は、少なくとも陰極であるカーボン電極５１から離間していればよく、陽極であるカーボン電極５２に近い位置に配置させてもよい。この場合にも、ドレン排管１８，１９及びノズル２２内に、高濃度のカルシウムイオンが流れることがないので、ドレン排管１８，１９及びノズル２２内でカルシウムが析出して流路が詰まるのを防止できる。
【００４１】
また、上記実施形態では、ドレンタンク１７内に溜まったドレンを霧状にして大気中に放出したが、自然蒸発させて気化させてもよい。さらに、ヒータ等を用いて蒸発させてもよい。
【００４２】
なお、上記実施形態では、ドレン排管１８の上流側一端部は、一対のカーボン電極５１，５２から相対的に離れた位置に配置されているが、少なくとも陰極となるカーボン電極５１から離れていればよい。これにより、カルシウム濃度の高いドレンを排出する恐れがない。
【産業上の利用可能性】
【００４３】
本発明の給湯器は、熱交換器でドレンが発生する給湯器に適用可能である。
【図面の簡単な説明】
【００４４】
【図１】本実施形態である給湯器１の断面図である。
【図２】給湯器３００の断面図である。
【符号の説明】
【００４５】
１    給湯器
２    器具本体
３    燃焼室
５    燃焼用空気供給ファン
８    バーナ
９    主熱交換器
９ａ  主伝熱管
１０    副熱交換器
１０ａ  副伝熱管
１５    中和器
１７    ドレンタンク
１８    ドレン排管
２０    ドレンポンプ
２１    ドレン排管
２２    ノズル
５０    電解装置
５１    カーボン電極
５２    カーボン電極
５５    電圧発生回路
【図１】
2008190768.tif 000003
【図２】
2008190768.tif 000004